(57)【要約】【課題】  本発明は、電源投入後、投入前と装置の状態が同じである場合には高速な起動処理が可能な光ディスク記録再生装置を提供する。【解決手段】  スピンアップ処理を実行するモードに入った場合（スタート）（ステップＳ１０）、まず記憶部２５にアクセスし（ステップＳ１１）、記憶部２５に前回の起動処理に関する制御情報が格納されている場合には、記憶部２５に記録された制御情報であるパラメータ調整値および既に読み出された光ディスクの管理情報を読出して、スピンアップ処理を終了する（ステップＳ１８）。【選択図】        図３
2007052857.tif 000002
【特許請求の範囲】
【請求項１】
記録媒体に対するレーザ照射によりデータを記録／再生する制御部と、
記憶部と、
電源投入後、前記記録媒体の挿入指示あるいは排出指示に応答して前記記録媒体の記録媒体の挿入あるいは排出を実行するための挿入／排出部とを備え、
前記制御部は、電源投入後前記記録媒体の挿入に際して、スピンアップ処理により前記データを記録／再生するための前記記録媒体の制御情報を読み取るとともに、前記制御情報を記憶部に記憶させて、電源停止後、次の電源投入時には、前記記憶部に記憶された前記制御情報に基づいて前記記録媒体に対して記録／再生を実行し、
前記制御部は、前記排出指示の入力に応答して前記記憶部に記憶された前記制御情報を消去する、光ディスク記録再生装置。
【請求項２】
記録媒体に対するレーザ照射によりデータを記録／再生する制御部と、
記憶部とを備え、
前記制御部は、電源投入後前記記録媒体の挿入に際して、スピンアップ処理により前記データを記録／再生するための前記記録媒体の制御情報を読み取るとともに、前記制御情報を記憶部に記憶させ、
前記制御部は、電源停止後、次の電源投入時には、前記記憶部に記憶された前記制御情報に基づいて前記記録媒体に対して記録／再生を実行する、光ディスク記録再生装置。
【請求項３】
電源投入後、前記記録媒体の挿入指示あるいは排出指示に応答して前記記録媒体の挿入あるいは排出を実行するための挿入／排出部をさらに備え、
前記制御部は、前記排出指示の入力に応答して前記記憶部に記憶された前記制御情報を消去する、請求項２記載の光ディスク記録再生装置。
【発明の詳細な説明】
【技術分野】
【０００１】
本発明は、例えばＣＤ（Compact Disc）やＤＶＤ（Digital Versatile Disc）等の光ディスクに対して、情報の記録及び／又は再生を行なう光ディスク記録再生装置に関する。
【背景技術】
【０００２】
従来から、ＣＤやＤＶＤ等の同心円状又は渦巻状に情報記録トラックが形成された光ディスクに対し、光ピックアップと呼ばれる光ヘッドにより、情報の記録及び／又は再生を行なう光ディスク記録再生装置がある。光ピックアップは、半導体レーザ等の光ビームを対物レンズにより光ディスク上に集光照射すると共に、光ディスク上に照射した光の反射光を受光してそれに応じた電気信号を出力する構成となっており、光ディスクの半径方向に移動するようになっている。
【０００３】
光ディスク記録再生装置は、光ピックアップを光ディスク上の所定の位置へ移動させ、光ディスクを回転させながら、光ピックアップからの光を光ディスクの記録トラックに集光照射することで、光ディスクに対して情報の記録及び／又は再生を行なう。
【０００４】
光ディスクからの情報の再生にあたっては、まず、光ピックアップから照射する光の集光点が光ディスク面上に位置するようにフォーカスオン（フォーカス引き込み）させ、さらに、フォーカスオンさせた光が記録トラック上に位置するようにトラックオン（トラック引き込み）させる。これらフォーカスオン及びトラックオンは、光ピックアップから出力される電気信号に応じて、対物レンズを光ディスク面に垂直な方向及び記録トラックに垂直な方向に移動させることで行なわれる。そして、フォーカスオン及びトラックオンさせた状態で光ピックアップから出力される電気信号に基づいて、光ディスクに形成されているピットが検出され、これにより光ディスクから情報が読取られ、その情報が再生される。光ディスクへの情報の記録は、光ピックアップから光ディスク上に集光照射する光により、光ディスクの記録トラックにピットを形成することにより行なわれる。
【０００５】
一方、光ディスクの記録／再生に際しては、スピンアップ処理により光ディスクの内周領域に記録されている管理領域のデータに基づいてメディア判別および各種パラメータ値についてデータ読出が実行される。そして、読み出されたデータに基づいて光ピックアップを実行するための調整が実行される。この点で、起動後の時間を短縮するための種々の方式が提案されており、特開２００３−８５０４１号公報においては、不揮発メモリを用いてディスク装置のデータをキャッシュしておくことにより見かけ上、起動処理を速やかに実行可能なディスクキャッシュシステムが開示されている。
【０００６】
また、特開２００３−２４９０２１号公報においては、ディスク判別に基づいて読み出す領域を調整することによりスピンアップ処理を短縮する方式が開示されている。
【特許文献１】特開２００３−８５０４１号公報
【特許文献２】特開２００３−２４９０２１号公報
【発明の開示】
【発明が解決しようとする課題】
【０００７】
一方で、電源投入後に装置の起動処理を実行した後、電源を停止した場合には、装置の状態に変化がない場合すなわち光ディスクを交換しないような場合であっても再度同様の起動処理たとえばスピンアップ処理を実行するのが一般的である。
【０００８】
特許文献１においては、ハードディスクが交換されたかどうかを判断し、交換されていなければ不揮発メモリに記憶されてデータを用いることにより見かけ上起動処理を高速にするものであるが、起動処理自体は実行しており、ある程度の期間を要することとなる。
【０００９】
この点で、電源投入後、投入前と同じ状態であるならば前回用いた起動処理の情報を用いることができれば起動処理を実行する必要は無く、高速な起動処理が可能となる。
【００１０】
本発明は、上記のような問題を解決するためになされたものであって、電源投入後、投入前と装置の状態が同じである場合には高速な起動処理が可能な光ディスク記録再生装置を提供する。
【課題を解決するための手段】
【００１１】
本発明に係る光ディスク記録再生装置は、記録媒体に対するレーザ照射によりデータを記録／再生する制御部と、記憶部と、電源投入後、記録媒体の挿入指示あるいは排出指示に応答して記録媒体の記録媒体の挿入あるいは排出を実行するための挿入／排出部とを備える。制御部は、電源投入後記録媒体の挿入に際して、スピンアップ処理によりデータを記録／再生するための記録媒体の制御情報を読み取るとともに、制御情報を記憶部に記憶させて、電源停止後、次の電源投入時には、記憶部に記憶された制御情報に基づいて記録媒体に対して記録／再生を実行し、制御部は、排出指示の入力に応答して記憶部に記憶された制御情報を消去する。
【００１２】
本発明に係る光ディスク記録再生装置は、記録媒体に対するレーザ照射によりデータを記録／再生する制御部と、記憶部とを備える。制御部は、電源投入後記録媒体の挿入に際して、スピンアップ処理によりデータを記録／再生するための記録媒体の制御情報を読み取るとともに、制御情報を記憶部に記憶させる。制御部は、電源停止後、次の電源投入時には、記憶部に記憶された制御情報に基づいて記録媒体に対して記録／再生を実行する。
【００１３】
好ましくは、電源投入後、記録媒体の挿入指示あるいは排出指示に応答して記録媒体の挿入あるいは排出を実行するための挿入／排出部をさらに備え、制御部は、排出指示の入力に応答して記憶部に記憶された制御情報を消去する。
【発明の効果】
【００１４】
本発明に係る光ディスク記録再生装置の制御部は、電源停止後、次の電源投入時には、記憶部に記憶された制御情報に基づいて記録媒体に対して記録／再生を実行するため再度スピンアップ処理をすることなく記録／再生が可能であるため高速な起動処理を実現することができる。
【発明を実施するための最良の形態】
【００１５】
以下、本発明の実施の形態について図面を参照しながら詳細に説明する。なお、図中同一または相当部分には同一符号を付し、その説明は繰返さない。
【００１６】
図１は、本発明の実施の形態に従う光ディスク記録再生装置の概略ブロック図である。
図１を参照して、光ディスク記録再生装置１は、ＣＤやＤＶＤ等の同心円状又は渦巻状の情報記録トラックが形成された光ディスク７０に対して、音楽や映像等の情報の記録及び／又は再生を行なう。
【００１７】
光ディスク記録再生装置１は、ディスク挿入排出部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク記録再生装置１は、映像・音声信号入出力部１０と、リモコン１１と、リモコン受信部１２と、表示部１３と、及び上記各部を制御するための制御部２０と、ＯＮ／ＯＦＦスイッチ１５と、記憶部２５とを備えている。
【００１８】
ディスク挿入排出部２は、制御部２０の指示に応答して不図示の挿入排出口から挿入された光ディスク７０をディスクトレイに載置して搬入するとともに、制御部２０の指示に応答してディスクトレイに載置された光ディスクを挿入排出口より排出する。なお、挿入された光ディスク７０は、スピンドルモータ３に装着される。スピンドルモータ３は、制御部２０からの指示に従い回転駆動され、装着された光ディスク７０が所定速度で回転するように制御する。
【００１９】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００２０】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２１】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２２】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２３】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２４】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。
【００２５】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００２６】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００２７】
リモコン１１は、光ディスク記録再生装置１の各種の動作を操作するためのものであり、各種の動作を操作するための操作キー（何れも不図示）を備えている。リモコン７は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク記録再生装置１本体のフロントパネルに設けられ、リモコン１１により操作された内容や光ディスク記録再生装置１の動作状況等を表示する。
【００２８】
ＯＮ／ＯＦＦスイッチ１５は、ＯＮ／ＯＦＦスイッチ１５のオンあるいはオフに応答して電源を装置全体に供給して各種動作が可能な状態に設定する起動スイッチである。なお、本体側にＯＮ／ＯＦＦスイッチがある場合について説明しているが、例えばリモコン１１に同様の機能となるスイッチ釦を設けることも可能である。したがって、本願発明においては、ＯＮ／ＯＦＦスイッチ１５のオンによりディスク挿入排出部２は光ディスクの挿入あるいは排出が可能な状態となるものとする。
【００２９】
記憶部２５は、各種動作の実行を指示するための制御プログラムあるいは初期動作を実行するための制御プログラム等、種々の制御プラグラムが格納されているとともに、後述する光ディスク７０からの制御情報あるいは調整データ等を記憶するものとする。
【００３０】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３１】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３２】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３３】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３４】
上記構成の光ディスク記録再生装置１は、制御部２０による制御のもと、リモコン１１を操作することにより、光ディスク７０からの情報の再生や、光ディスク７０への情報の記録等を行なう。光ディスク記録再生装置１は、光ディスク７０が挿入された場合、制御部２０の制御のもとスピンアップ処理を実行し、光ディスク７０の最内周側に記録されている情報を読取る初期動作を行なう。そして、初期動作で読取った情報に基づいて挿入された光ディスク７０の種類や記録内容を判断する。そして、これらの起動処理により所望の情報の記録や再生等を実行するための動作準備を完了する。
【００３５】
本実施の形態においては、所定の場合に高速な起動処理を実行する方式について説明する。
【００３６】
図２は、本発明の実施の形態に従う光ディスクの挿入および排出時の動作を説明するフローチャート図である。
【００３７】
図２を参照して、まず、ＯＮ／ＯＦＦスイッチ１５に基づいて電源スイッチがオンされる（ステップＳ０）。
【００３８】
次に、光ディスクが挿入排出口を介して挿入される（ステップＳ１）。光ディスクが挿入されると起動処理を実行するためにスピンアップ処理が実行される（ステップＳ２）。  
【００３９】
そして、スピンアップ処理（ステップＳ２）後、次にリモコンキー等によりコマンド指示があったかどうかが判定される（ステップＳ３）。指示があった場合には次のステップに進む、そして、コマンド指示としてディスク排出の指示があったかどうかが判断される（ステップＳ４）。
【００４０】
ステップＳ４において、ディスク排出の指示ではなかった場合には、所定のコマンド指示に応じた処理が実行される（ステップＳ６）。たとえば、記録あるいは再生動作に関するコマンド指示が入力された場合には、入力指示に応答した動作が実行される。そして、再び、ステップＳ３に戻る。
【００４１】
一方、ステップＳ４において、ディスク排出の指示があった場合にはステップＳ５に進み、排出口から光ディスクを排出する（ステップＳ５）。
【００４２】
そして、ディスク排出の際には記憶部２５に格納された後述する所定のデータを消去する（ステップＳ７）。
【００４３】
次に、ＯＮ/ＯＦＦスイッチ１５に基づいて電源スイッチがオフされたかどうかを判断する（ステップＳ８）。
【００４４】
電源スイッチがオフされた場合には終了する（ステップＳ９）。一方、電源スイッチがオフされていない場合にはステップＳ１に戻り、次に光ディスクが挿入されるまで待機する。
【００４５】
図３は、本発明の実施の形態に従うスピンアップ処理を説明するフローチャート図である。
【００４６】
図３を参照して、制御部２０の制御のもとスピンアップ処理を実行するモードに入った場合（スタート）（ステップＳ１０）、まず記憶部２５にアクセスする（ステップＳ１１）。そして、記憶部２５に前回の起動処理に関する制御情報が格納されているかどうかを判断する（ステップＳ１２）。この記憶部２５に格納されている前回の起動処理に関する制御情報については後述する。
【００４７】
ステップＳ１２において、記憶部２５に前回の起動処理に関する制御情報が格納されていない場合には、次のステップ（ステップＳ１３）に進む。
【００４８】
そして、上述したスピンアップ処理を開始する（ステップＳ１３）。具体的には、再生／記録を実行するためのレーザパワーの調整、上述したフォーカス引き込みあるいはトラック引き込み等を調整するためのパラメータ調整値の設定等（パラメータ調整）が実行される（ステップＳ１４）。また、次に、光ディスク７０の最内周側に記録されている管理情報を読取る初期動作を行ない光ディスク７０の種類や記録内容を判断する。（ステップＳ１５）。そして、これらのスピンアップ処理に基づいて読出されたあるいは設定されたパラメータを含む制御情報を記憶部２５に記録する（ステップＳ１６）。
【００４９】
そして、スピンアップ処理を終了する（ステップＳ１８）。そして、ステップＳ３に戻る。
【００５０】
一方、ステップＳ１２において、記憶部２５に制御情報が格納されている場合には、ステップＳ１７に進み記憶部２５に記録された制御情報であるパラメータ調整値および既に読み出された光ディスクの管理情報が読出されて、スピンアップ処理を終了する（ステップＳ１８）。そして、ステップＳ３に進む。
【００５１】
本発明の実施の形態においては、電源投入後、スピンアップ処理を開始する前に、記憶部２５に前回の起動処理に関する制御情報が格納されているかどうかを判断し、格納されている場合には、格納されている制御情報を用いてスピンアップ処理を終了するものである。
【００５２】
すなわち、電源投入後、投入前と装置の状態が同じである場合には、再度スピンアップ処理を実行するのではなく、前回スピンアップ処理により得られた制御情報を記憶部２５から読み出して利用するものである。
【００５３】
これにより、従来の方式においては電源の供給を停止後、電源投入後には、装置の状態が同じである場合すなわち光ディスクが交換されていない場合であっても必ずスピンアップ処理を実行していた。つまり、光ディスクを回転させてパラメータ調整および各種制御情報のデータ読出を実行する方式であった。
【００５４】
本願方式により、電源投入後、装置の状態が同じである場合には、再度スピンアップ処理を実行する必要がなく、二度目の起動処理を高速に実行することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の実施の形態に従う光ディスク記録再生装置の概略ブロック図である。
【図２】本発明の実施の形態に従う光ディスクの挿入および排出時の動作を説明するフローチャート図である。
【図３】本発明の実施の形態に従うスピンアップ処理を説明するフローチャート図である。
【符号の説明】
【００５７】
１  光ディスク記録再生装置、２  ディスク挿入排出部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５  ＯＮ／ＯＦＦスイッチ、２０  制御部、２５  記憶部。
【図１】
2007052857.tif 000003
【図２】
2007052857.tif 000004
【図３】
2007052857.tif 000005